(57)【要約】  【課題】  サーチ時間および読出し／書込み時間を短縮できるシングルリールカートリッジを提供する。  【解決手段】  シングルリールと、複数のリーダーテープと、後端を前記シングルリールに先端を前記リーダーテープにそれぞれ取り付けられた複数本の磁気テープとを有し、不使用時にこれらの複数本の磁気テープを前記シングルリールのドラム上に重ね巻き収容し、各リーダーテープの先端に把持用のチャッキングホールがそれぞれ１個又は複数個形成され、かつこれらのチャッキングホールは前記複数のリーダーテープが重ねられた状態で互いにずらして形成されている。  【選択図】      図３
2005196920.tif 000002
【特許請求の範囲】
【請求項１】
シングルリールと、複数のリーダーテープと、後端を前記シングルリールに先端を前記リーダーテープにそれぞれ取り付けられた複数本の磁気テープとを有し、不使用時にこれらの複数本の磁気テープを前記シングルリールのドラム上に重ね巻き収容して成ることを特徴とするシングルリールカートリッジ。
【請求項２】
前記各リーダーテープはその先端側に把持用のチャッキングホールがそれぞれ１個又は複数個形成され、かつこれらのチャッキングホールは前記複数のリーダーテープが重ねられた状態で互いにずらして形成されていることを特徴とする請求項１記載のシングルリールカートリッジ。
【請求項３】
前記各リーダーテープのチャッキングホールは該リーダーテープの長さ方向の中心線に対して対称位置に形成されていることを特徴とする請求項２記載のシングルリールカートリッジ。
【請求項４】
前記各リーダーテープを積層状態で案内するガイドローラを内部に備えたことを特徴とする請求項１〜３のいずれか１項記載のシングルリールカートリッジ。
【請求項５】
前記各リーダーテープを積層状態で仮固定する固定部材をそれぞれ上リールと下リールとに備えたことを特徴とする請求項１〜４のいずれか１項記載のシングルリールカートリッジ。
【請求項６】
複数のリーダーテープを有するシングルリールカートリッジを装填することのできる磁気記録装置であって、複数の搬送路と該搬送路に各々設けられた磁気ヘッドとを備えたことを特徴とする磁気記録装置。
【請求項７】
装填されたシングルリールカートリッジの開口部から前記各磁気ヘッドを通過してマシンリールに達するまでの各磁気テープの各搬送路の距離がいずれも略等しくなっていることを特徴とする請求項６記載の磁気記録装置。
【請求項８】
装填されたシングルリールカートリッジに収納された積層状態の複数のリーダーテープをそれぞれ単独のリーダーテープに分離する分離機構と、分離された各リーダーテープをそれぞれ異なる搬送路でマシンリール近傍まで搬送する搬送機構と、前記マシンリール近傍で前記各リーダーテープを再び積層する結束機構とを備えたことを特徴とする請求項７記載の磁気記録装置。
【請求項９】
書込むべきデータを単位データ毎に複数に分割し、該単位データを前記複数の前記磁気ヘッドにそれぞれ振り分けるデータ振分け機能を有するヘッド信号処理回路を備えたことを特徴とする請求項８記載の磁気記録装置。
【請求項１０】
前記複数の磁気ヘッドで読出された各単位データを順に結合するデータ結合機能を有するヘッド信号処理回路を備えたことを特徴とする請求項８又は９記載の磁気記録装置。
【発明の詳細な説明】
【技術分野】
【０００１】
本発明は、磁気テープの読出し／書込み部位への磁気ヘッドのアクセス時間および読出し／書込みの開始から終了までの時間が短縮できるシングルリールカートリッジおよびこれを装填する磁気記録装置に関するものである。
【背景技術】
【０００２】
従来、パソコンやワークステーション等のデータバックアップ用として、内部に単一のリールが回転可能に収納されたシングルリールカートリッジが知られている（例えば、特許文献１参照）。このようなシングルリールカートリッジは磁気記録装置に装填されると、シングルリールカートリッジに巻装された磁気テープの先端部にあるリーダーテープが磁気記録装置側のドライブ機構によってカートリッジから引き出されて、磁気記録装置内を引き回され、磁気ヘッドを通過してマシンリールのドラム内に挿入され、所定の部位までマシンリールに巻き取られて磁気ヘッドで情報の記録・再生が行われ、終了後は、マシンリールから磁気テープがカートリッジ内のリールに巻き戻されてカートリッジ内に再び収納されるように構成されている。
【０００３】
【特許文献１】ＵＳＰ６，５０２，７７６
【０００４】
前記特許文献１には、リーダーテープを使用したシングルリールカートリッジの例が示されている。それによれば、シングルリールカートリッジはカートリッジリールに１本の磁気テープを巻装し、このリールを回動自在に収容している。そして、カートリッジリールの不使用時は、カートリッジリールの回転が防止され、カートリッジの使用時には回転自在となる。カートリッジケースの１コーナーには磁気テープを引き出すための開口部が形成されていて、この開口部に磁気テープの先端に設けられているリーダーテープが仮固定されている。
使用時には、磁気記録装置のドライブ機構側のリーダーテープ係止ピンがリーダーテープに接近し、これを把持してカートリッジケースから引き出し、これを磁気記録装置内のマシンリールまで案内する。
【０００５】
図１０はこのようなカートリッジケースを装填した従来の磁気記録装置の機能を説明する概略平面図である。図において、２０１は磁気記録装置、２０２はカートリッジ装填部、２０３は巻取り部、２０６はマシンリール、２０７は読出し／書込み用磁気ヘッド、２０８は案内ローラ、２０９は磁気テープ、２１０はカートリッジケース、２４０はシングルリールである。
カートリッジケース２１０を装填部２０２に装填してスタートさせると、磁気記録装置２０１のドライブ機構のリーダーテープ係止ピン（図示なし）がリーダーテープ２８０をカートリッジケース２１０から引き出し、多数の案内ローラ２０８及び読出し／書込み用磁気ヘッド２０７を通過させて、マシンリール２０６まで案内して、リーダーテープ２８０をマシンリール２０６のドラム部２０６ａに設けられている係止部材２０６ｂに係止する。この状態でマシンリールのモータを高速回転駆動して磁気テープ２０９を走行させ、所定の部位に達する直前で低速回転にして信号の読出し／書込みを行う。
【発明の開示】
【発明が解決しようとする課題】
【０００６】
しかしながら、従来の磁気記録装置では磁気ヘッドが磁気テープの読出し／書込みを行うファイルにアクセスするのに時間がかかっている。対象ファイルがたまたま磁気テープの始端近くにある場合は速く見つかるが、磁気テープ終端近くにある場合は時間が掛ると言うように、最悪の場合、テープの長さだけ検索しなければならないことになり、ディスク記録媒体のシーク制御等に比較してアクセスに時間が掛かり効率的な制御が難しいという問題があった。
また、読出し／書込みの開始から終了までの時間も短縮する要請があった。
そこで、本発明はこのような問題点に鑑みてなされたものであり、磁気テープの読出し／書込みを行うファイルへのアクセス時間と、読出し／書込みに要する時間の両方を大幅に短縮できるシングルリールカートリッジおよびその磁気記録装置を提供することを目的とする。
【課題を解決するための手段】
【０００７】
上記問題を解決するため、請求項１記載のシングルリールカートリッジの発明は、シングルリールと、複数のリーダーテープと、後端を前記シングルリールに先端を前記リーダーテープにそれぞれ取り付けられた複数本の磁気テープとを有し、不使用時にこれらの複数本の磁気テープを前記シングルリールのドラム上に重ね巻き収容して成ることを特徴とする。
請求項２記載の発明は、請求項１記載のシングルリールカートリッジにおいて、前記各リーダーテープがその先端側に把持用のチャッキングホールがそれぞれ１個又は複数個形成され、かつこれらのチャッキングホールは前記複数のリーダーテープが重ねられた状態で互いにずらして形成されていることを特徴とする。
請求項３記載の発明は、請求項２記載のシングルリールカートリッジにおいて、前記各リーダーテープのチャッキングホールは該リーダーテープの長さ方向の中心線に対して対称位置に形成されていることを特徴とする。
請求項４記載の発明は、請求項１〜３のいずれか１項記載のシングルリールカートリッジにおいて、前記各リーダーテープを積層状態で案内するガイドローラを内部に備えたことを特徴とする。
請求項５記載の発明は、請求項１〜４のいずれか１項記載のシングルリールカートリッジにおいて、前記各リーダーテープを積層状態で仮固定する固定部材をそれぞれ上リールと下リールとに備えたことを特徴とする。
請求項６記載の磁気記録装置の発明は、複数のリーダーテープを有するシングルリールカートリッジを装填することのできる磁気記録装置であって、複数の搬送路と該搬送路に各々設けられた磁気ヘッドとを備えたことを特徴とする。
請求項７記載の発明は、請求項６記載の磁気記録装置において、装填されたシングルリールカートリッジの開口部から前記各磁気ヘッドを通過してマシンリールに達するまでの各磁気テープの各搬送路の距離がいずれも略等しくなっていることを特徴とする。
請求項８記載の発明は、請求項７記載の磁気記録装置において、装填されたシングルリールカートリッジに収納された積層状態の複数のリーダーテープをそれぞれ単独のリーダーテープに分離する分離機構と、分離された各リーダーテープをそれぞれ異なる搬送路でマシンリール近傍まで搬送する搬送機構と、前記マシンリール近傍で前記各リーダーテープを再び積層する結束機構とを備えたことを特徴とする。
請求項９記載の発明は、請求項８記載の磁気記録装置において、書込むべきデータを単位データ毎に複数に分割し、該単位データを前記複数の前記磁気ヘッドにそれぞれ振り分けるデータ振分け機能を有するヘッド信号処理回路を備えたことを特徴とする。
請求項１０記載の発明は、請求項８又は９記載の磁気記録装置において、前記複数の磁気ヘッドで読出された各単位データを順に結合するデータ結合機能を有するヘッド信号処理回路を備えたことを特徴とする。
【発明の効果】
【０００８】
以上のように、本発明によれば、リールにテープをｎ枚積層した状態で巻付け、磁気記録装置内では積層したテープをそれぞれ分離してｎ個の磁気ヘッドへ搬送して、各テープ毎に別々の磁気ヘッドで読出し／書込みを行なうようにできるので、従来のカートリッジで１本のテープＬを１個の磁気ヘッドで読出し／書込みをしていた場合に比較して、テープ長Ｌをｎ分割して収納でき、アクセス（サーチ）時間が１／ｎに短縮でき、かつ複数の磁気ヘッドを駆使してパラレルに同時に読出し／書込みができるようになるので、読出し／書込み時間も略１／ｎに短縮できる。
【０００９】
請求項２記載の発明によれば、リーダーテープを複数個に分割可能としたので、磁気テープを各々独立してが磁気記録装置内を搬送することができ、設計の自由度が上がる。
【００１０】
また、請求項３記載の発明によれば、チャッキングホールが前記複数のリーダーテープが重ねられた状態でそれぞれずらして形成されているので、複数の
リーダーテープ係止ピンが互いに接触することなくスムーズに各自のリーダーテープにアクセスすることができる。
【００１１】
請求項４記載の発明によれば、更に、チャッキングホールがリーダーテープの幅方向に幅方向中心に対して対称位置に形成されているので、リーダーテープを安定して把持・搬送することができる。
【００１２】
請求項５記載の発明によれば、前記各リーダーテープを積層状態で仮固定する固定部材をそれぞれ上リールと下リールとに備えたことで、カートリッジの流通時の運搬に際し、リーダーテープ先端の損傷を防止することができる。
請求項６記載の発明によれば、複数の搬送路と搬送路に各々設けられた磁気ヘッドとを備えるようにしたので、同時間に複数のデータを読出し／書込みすることができるため読み書き時間を短縮することができる。
【００１３】
請求項７記載の発明によれば、装填されたシングルリールカートリッジの開口部から前記各磁気ヘッドを通過してマシンリールに達するまでの各磁気テープの各搬送路の距離がいずれも略等しくなっているので、一部のテープが弛むことがなくなり、かつ複数の磁気テープであってもあたかも１つのテープと同じように扱うことができる。
【００１４】
請求項８記載の発明によれば、装填されたシングルリールカートリッジに収納されたリーダーテープを複数のリーダーテープに分離する分離機構と、分離された各リーダーテープをそれぞれ異なる搬送路でマシンリール近傍まで搬送する搬送機構と、前記マシンリール近傍で前記各リーダーテープを再び重ねる結束機構とを備えたので、複数のリーダーテープから成るシングルリールカートリッジが本装置に装填されたときに適切に対応することができる。
【００１５】
請求項９記載の磁気記録装置の発明によれば、書込むべきデータを複数の単位データに分割し、該単位データを前記複数の磁気ヘッドにそれぞれ順に振り分けることができるので、書込みが複数箇所で同時に行われることとなり、書込み時間が短縮できる。
【００１６】
請求項１０記載の発明によれば、複数の磁気ヘッドで読出された各単位データを順に結合することができるので、読出しが複数箇所で同時に行われることとなり、読出し時間が短縮できる。
【発明を実施するための最良の形態】
【００１７】
以下、本発明の実施の形態について図面に基づいて説明する。
本発明は、第１の実施の形態としてシングルリールカートリッジ、第２の実施の形態としてそのシングルリールカートリッジをドライブする磁気記録装置から構成されている。そこで、まず、第１の実施の形態に係るシングルリールカートリッジから説明する。
【００１８】
<第１の実施の形態>
図１は本発明の第１の実施の形態に係るシングルリールカートリッジの１例について説明する概念図で、（ａ）はその横断面図、（ｂ）はこれと対比説明するための従来のシングルリールカートリッジの横断面図である。
図１（ａ）において、１０は本発明に係るシングルリールカートリッジ、４０はシングルリール、４２１はシングルリールのドラム、１９Ａ〜１９Ｃは後端をシングルリールのドラム４２１に、先端をリーダーテープ８０Ａ〜８０Ｃにそれぞれ取り付けられた複数本（図では３本）の磁気テープ、８０はリーダーテープで、３本のリーダーテープ８０Ａ〜８０Ｃから成っている。
通常、不使用時にはこれらの複数本の磁気テープ１９Ａ〜１９Ｃはシングルリールのドラム（リールハブ）４２１上に重ね巻き収容されて、リーダーテープ８０の先端はガイドローラ３１で方向転換し、シングルリールカートリッジ１０のケーシングコーナーに後述の固定部材３２により固定されている。
【００１９】
図１（ｂ）の従来のシングルリールカートリッジ２１０は、１本の磁気テープ２１９がその後端をシングルリール２４０のドラム２４２に、先端がリーダーテープ２８０にそれぞれ取り付けられ、通常、不使用時には磁気テープ２１９はシングルリールのドラム２４２上に巻き付け収容され、リーダーテープ２８０はシングルリールカートリッジ２１０のケーシングコーナーに固定されている。
【００２０】
両者を比較すると、シングルリールカートリッジの大きさ、シングルリールおよびシングルリールのドラムの大きさは両者同じである。
また、ドラム上に巻き付けられている磁気テープの最上層からドラムまでのテープ全体の厚み（言い換えれば、図１（ａ）の磁気テープ１９Ａ〜１９Ｃの合計した長さと図１（ｂ）の磁気テープ２１９の全長）も両者同じである。
【００２１】
両者が異なるのは、図１（ｂ）の磁気テープ２１９が１本であるのに対して、図１（ａ）の磁気テープは磁気テープ２１９を３等分し、それぞれ並列に重ね、１９Ａ〜１９Ｃとしてドラム４２１上に重ね巻きし、それぞれの先端をリーダーテープ８０の端部に取り付けている点である。もちろん３等分は１例であって、本発明はこれに限定されるものではなく、２以上の任意の整数等分であってよい。
また、リーダーテープ８０も、図１（ｂ）のそれ２８０と比べると、３層分の厚みとなっている。
【００２２】
なお、磁気テープ１９Ａ〜１９Ｃの各長さについて、厳密に言えば各磁気テープ１９Ａ〜１９Ｃは同じ長さではない（リール上の１回の巻回につき上層と下層でテープ厚みの２π分の周差が生じるからである。）が、マシンリール上でも同じ方向に巻き取られるので問題はない。また、カートリッジ開口部からマシンリールに達するまでの間の距離にその差が現れるが、しかしながらこの差は案内ローラやテンションローラで吸収できる程度の距離あるので問題ない。例えば、磁気テープの厚みを２０μｍとし、カートリッジから出てマシンリールに達するまでの距離を５０ｃｍとすると５０ｃｍ繰り出すのにリールが３０回転したとすれば、差は０．０２（ｃｍ／回転）×３０（回転）＝０．６（ｃｍ）となる。この差分３ｍｍ程度は案内ローラの設置位置やテンションローラで吸収できる。
【００２３】
図２は図１（ａ）のシングルリールカートリッジの構成の一例を示す分解斜視図である。
図において、シングルリールカートリッジ１０は上リール４１と下リール４２とを超音波溶着により結合したカートリッジリール４０に複数本（図では３本）の磁気テープ１９Ａ〜１９Ｃを巻装し、上ケース２０と下ケース３０とがビス等により締結されてなるシングルリールカートリッジ１０内に、カートリッジリール４０を回動自在に収容して構成されている。
【００２４】
下リール４２は外周に磁気テープ１９Ａ〜１９Ｃが巻回される円筒状のリールハブ４２１と、リールハブ４２１の下端外周から径方向に張り出したフランジ部４２２とを合成樹脂により一体成形したもので、リールハブ４２１の底部外面にカートリッジリール４０を回転駆動するマグネット式の回転駆動手段を吸引保持させるためのリールプレート５３が取り付けられている。またリールハブ４２１の底部内面には、ブレーキボタン５２に形成された制止用ギア５２Ａと係合して不使用時の回転を拘束する制止用ギア４２Ａが刻設されている。また、リールハブ４２１には、シングルリールカートリッジ１０を使用する外部記憶装置等の記録再生装置に設けられたドライブ解除スピンドルが挿通されて、ブレーキボタン５２を上方へ移動させるための開口４２Ｂが形成されている。
そして、カートリッジリール４０の不使用時は、ブレーキボタン５２はコイルバネ５１により、図中下方に付勢された状態でリールハブ４２１内部に装着されているので、ブレーキボタン５２の制止用ギア５２Ａとリールハブ４２１の制止ギア４２Ａが咬み合うこととなり、カートリッジリール４０の回転が防止されている。
【００２５】
一方、カートリッジ使用時は、記録再生装置のドライブ解除スピンドル（図示なし）がブレーキボタン５２を押圧すると、ブレーキボタン５２がコイルバネ５１の付勢力に抗して図中上方へ移動し、これにより制止用ギア５２Ａと制止用ギア４２Ａの係合が解除され、カートリッジリール４０が回転自在となる。
【００２６】
シングルリールカートリッジ１０の１コーナーには磁気テープ１９Ａ〜１９Ｃを引き出すための開口部１１が形成されており、この開口部１１に磁気テープ１９Ａ〜１９Ｃの先端に設けられているリーダーテープ８０が仮固定されている。
使用時には、後述する本発明に係る記録再生装置のドライブ機構側の３個のリーダーテープ搬送部材９０がリーダーテープ８０に接近し、各リーダーテープ８０の係止孔に係止して、シングルリールカートリッジ１０からリーダーテープ８０を引き出し、各リーダーテープ８０を分離し、各磁気テープ１９Ａ〜１９Ｃをそれぞれの搬送方向に向けて各々の磁気ヘッドへと搬送する。
【００２７】
図３は本発明が採用するリーダーテープの先端部分を説明する図で、（ａ）は全体の斜視図、（ｂ）は先端の拡大斜視図である。
図３（ａ）および（ｂ）において、８０Ａ〜８０Ｃは各リーダーテープで、その各先端部（引き出し方向上流側）には係止用のチャッキングホール８１Ａ〜８１Ｃが形成され、後端部にはそれぞれ磁気テープ１９Ａ〜１９Ｃの先端部が連なっている。チャッキングホールはそれぞれ１個（リーダーテープ８０Ａの場合）又は２個（リーダーテープ８０Ｂ、８０Ｃの場合）形成され、かつこれらのチャッキングホール８１Ａ〜８１Ｃは複数のリーダーテープ８０Ａ〜８０Ｃが重ねられた状態で互いにずらして形成されている。しかも、この図では、各リーダーテープ８０Ａ〜８０Ｃのチャッキングホール８１Ａ〜８１Ｃはリーダーテープの長さ方向の中心線に対して対称位置に形成されて、安定をよくしている。すなわち、図（ｂ）において、Ｓがリーダーテープの長さ方向の中心線であり、リーダーテープ８０Ａのチャッキングホール８１Ａは１個であり、中心線Ｓがチャッキングホール８１Ａの中心を通っている。リーダーテープ８０Ｂのチャッキングホール８１Ｂは２個で、それぞれ中心線Ｓに対して図で上下に等距離に設けられている。リーダーテープ８０Ｃのチャッキングホール８１Ｃは２個で、それぞれ中心線Ｓに対して図で上下に最も離れた両端部に設けられている。
チャッキングホールのこのような形成により、ドライブ機構側の３個のリーダーテープ搬送部材のチャック部９０Ａ〜９０Ｃ（図２）の各先端に各チャッキングホールの位置に対応した部位に係止ピンを立設しておけば、各係止ピンは対応のチャッキングホールだけに係止するので、他のチャッキングホールと干渉することなく、安定して搬送対象のリーダーテープだけを他のリーダーテープと分離・引き出すことができる。
【００２８】
図４および図５は本発明に係る図３記載のリーダーテープを分離して搬送することのできる搬送部材のチャック部を説明する拡大斜視図で、図４は前半、図５は後半を示している。
図４において、本発明に係る搬送部材のチャック部は３個のチャック部９０Ａ〜９０Ｃから成り、それぞれ各リーダーテープの長さ方向の中心線に対して対称位置、すなわち、チャッキングホール８１Ａ〜８１Ｃ（図３）に対応した位置にアームを設けその先端に係止ピンＰ１、Ｐ２、Ｐ３が立設されている。
【００２９】
そこでまず、チャック部９０Ｃがリーダーテープにアクセスすると（ステップ１）、チャック部９０Ｃの２個の係止ピンＰ３が他のリーダーテープに全く接触せずにリーダーテープ８０Ｃの最も外側の２個のチャッキングホール８１Ｃに係止する（ステップ２）。これと同時に次のチャック部９０Ｂがリーダーテープにアクセスを開始する。
【００３０】
次に、図５のステップ３で示すように、チャック部９０Ｂの２個の係止ピンＰ２が他のリーダーテープ８０Ａに全く接触せずにリーダーテープ８０Ｂの２個のチャッキングホール８１Ｂに係止する。これと同時に、先のチャック部９０Ｃはリーダーテープ８０Ｃを元のリーダーテープ先端から退避させ、次のチャック部９０Ａがリーダーテープにアクセスを開始する。
【００３１】
次に、図５のステップ４で示すように、チャック部９０Ａの中央の１個の係止ピンＰ１がリーダーテープ８０Ａの中央のチャッキングホール８１Ａに係止する。これと同時に、先のチャック部９０Ｂおよびチャック部９０Ｃはリーダーテープ８０Ｂおよびリーダーテープ８０Ｃを元のリーダーテープ先端から退避させる。
このようにして、重ね合わされていた３層のリーダーテープ８０Ａ〜８０Ｃは、それぞれのチャック部に確実に係止され、互いに分離され、それぞれ所定の搬送経路へ搬送開始される。
【００３２】
本発明によれば、チャック部の各係止ピンおよびリーダーテープの各チャッキングホールをこのように対称位置に設けておくことにより、各係止ピンは他の係止ピン等と干渉することなく対応のチャッキングホールに係止し、よって搬送対象のリーダーテープだけを他のリーダーテープと分離し、安定よく搬送することができるようになる。
【００３３】
図６はシングルリールカートリッジ内のリーダーテープの先端部分の仮固定部を説明する図で、（ａ）は正面図、（ｂ）は平面図、（ｃ）は斜視図である
図において、２０はシングルリールカートリッジの上ケース、３０は同じく下ケース、３１はリーダーテープ８０の方向転換用のガイドローラ、３２は固定部材である。３３はピン、３４はカートリッジケースに設けられたスロープ、８０Ａ〜８０Ｃはリーダーテープである。
固定部材３２は固定部３２ａと固定部分３２ａから直角に延びるレバー部３２ｂとから成る。固定部３２ａは円弧部分を有し、円弧部分の中心から反リーダーテープ側に外れてピン３３が偏心配置されている。
【００３４】
次に、この仮固定部の動作について説明する。
図はリーダーテープを仮固定している状態を示している。この状態で固定部３２ａ先端はピン３３から最も遠く離れており、固定部３２ａ先端でリーダーテープ８０Ａ〜８０Ｃを仮固定している。このとき、レバー部３２ｂはピン３３から開口部に向かって延びている。
リーダーテープ８０Ａ〜８０Ｃを搬送する時は、磁気記録装置側の操作部材（図示なし）がアクセスし、カートリッジケース開口部から２つのレバー部３２ｂを互いに拡げる方向（離反方向）に旋回させることで、固定部３２ａの偏心作用による仮固定が解除され、リーダーテープ８０Ａ〜８０Ｃは解放される。この後、図４及び図５で説明したようにして、チャック部９０Ｃがリーダーテープ８０Ａ〜８０Ｃにアクセスし、リーダーテープ８０Ａ〜８０Ｃをカートリッジから引き出し、分離し、搬送する。
【００３５】
なお、剛性が高いリーダテープであれば、ケースの内側に細い溝を設け、そこに嵌合させて固定するような構造にすることができるので、固定部材３２とピン３３を省略することができる。
【００３６】
<第２の実施の形態>
次に、本発明の第２実施の形態について図を参照して説明する。
上記第１の実施の形態に係るシングルリールカートリッジをドライブする磁気記録装置自体も本発明により大幅な改良がなされているので、ここで第２の実施の形態として説明する。
図７は図２に示すリーダーテープ使用のカートリッジを装填して読出し／書込みのできる本発明の第２の実施の形態に係る磁気記録装置の概略構成を表す平面図である。
【００３７】
図において、１００は磁気記録装置であり、１０は図３のリーダーテープ８１に取り付けられた各磁気テープ１９Ａ〜１９Ｃを積層卷回してなるカートリッジケース、１１はカートリッジケース開口部、１２は磁気記録装置内におけるカートリッジ装填部である。図では、本発明に係るカートリッジケース１０がカートリッジ装填部１２に装填された状態を示している。
１３は磁気記録装置内における巻き取り部、１５は上流で分離した各磁気テープを纏めるために各リーダーテープ８０Ａ〜８０Ｃを重ねるガイド部である。ガイド部材１５は進行方向に対して直角な方向を規制するガイド板が入口側が広くて次第に幅狭となり出口では最終的に積層されたリーダーテープ８０Ａ〜８０Ｃとなって出でくる。
１６は巻き取り部１３内におけるマシンリール、１６ａはマシンリールドラム部、１６ｂはマシンリールドラム１６ａに設けられたリーダーテープ係止部でである。１７は読出し／書込み用磁気ヘッドで各磁気テープ毎に１７Ａ〜１７Ｃの３個が存在する。１８Ａ〜１８Ｃは案内ローラで、上流で分離した各リーダーテープ８０Ａ〜８０Ｃの各搬送路に沿ってそれぞれ多数の案内ローラ１８Ａ〜１８Ｃが配設されている。１９は磁気テープで、本発明により３本の磁気テープ１９Ａ〜１９Ｃが存在している。
【００３８】
２１Ｂおよび２１Ｃは搬送距離調整用ローラで、各磁気テープ１９Ａ〜１９Ｃのうち外側の磁気テープ１９Ａの走行経路の長さが他よりも長いので、これらの各走行経路の長さが等しくなるように、内側の磁気テープの搬送経路外にこの搬送距離調整用ローラ２１を設けることで、磁気テープを迂回させて距離の調整をしている。外側の磁気テープから内側の磁気テープになるほど、より内側に大きく変位している。
【００３９】
また、外側の磁気テープから内側の磁気テープになるほど、搬送距離調整用ローラ２１Ｂ、２１Ｃの径を大きくしてもよい。
このようにすることにより、どの搬送経路も同じ距離となるので、上流で分離された磁気テープの所定部位が磁気ヘッド１８Ａ〜１８Ｃを通過後、再び重なり合うとき、分離前の部位と同じ部位に再び接することとなる。
【００４０】
つぎに、図７の構成の磁気記録装置の動作について説明する。
先ず、シングルリールカートリッジ１０を磁気記録装置１００の装填部１２に装填してスタートすると、磁気記録装置１００の制御部（図示していない）は各リーダーテープ搬送部材のチャック部（図２および図４の９０Ａ〜９０Ｃ）を駆動してリーダーテープ８１Ａ〜８１Ｃを引き出し、案内ローラ１８からそれぞれ独自の搬送経路を案内ローラ１８Ａ〜１８Ｃによって搬送し、各磁気ヘッド１７Ａ〜１７Ｃに接触して書き込み／読み取りを終えた後、ガイド部材１５で再び積層状態となってマシンリール１６に搬送する。
マシンリール１６では、そのドラム１６ａに設けられたリーダーテープ係止部１６ｂにリーダーテープ８１Ａ〜８１Ｃの各チャッキングホールが係止されて、磁気記録装置への磁気テープの装着が完了する。図７はこの状態を示している。
この後、マシンリール１６のモータ（図示していない）を高速回転駆動して各磁気テープ１９Ａ〜１９Ｃの各サーチ部位まで磁気テープ１９Ａ〜１９Ｃを高速巻き取りし、磁気テープ１９Ａ〜１９Ｃの各サーチ部位を磁気ヘッドにアクセスさせ、その後は各磁気ヘッド１７Ａ〜１７Ｃにより各磁気テープ１９Ａ〜１９Ｃの各所定部位に同時に分割データ（後述）の読出し／書込みを行う。
【００４１】
次に、磁気テープファイルのサーチ動作について図８の図を参照して説明する。
図８は本発明に係る磁気テープと各記録ヘッドの動作を説明する図である。
図８（ａ）は従来の１本の磁気テープ１９の長さＬを示している。図（ｂ）は図（ａ）の１本のテープ長Ｌを３等分し、それぞれ１９Ａ、１９Ｂ、１９Ｃと番号を振っている。図（ｃ）は図（ｂ）の直列となっている各磁気テープ１９Ａ、１９Ｂ、１９Ｃを並列に並び変え、各テープ毎に各自の磁気ヘッド１７Ａ〜１７Ｃを配置した本発明の磁気記録装置を示している。
【００４２】
図（ａ）の従来の磁気テープに、あるデータ（例えば、「イ、ロ、ハ、ニ」）が磁気テープ１９Ｃ（図（ｂ））の最初の部位１９Ｃ1から５記録単位進んだ１９Ｃ4までの長さを使って「イ、ロ、ハ、ニ」と記録されていたとする。
磁気ヘッド１７が磁気テープ１９の記録部位１９Ｃ1からのデータを読出すには、まず、テープ始端（正確には、テープ巻き送り開始マーク）から高速で磁気テープ１９を記録部位１９Ｃ1まで巻き取り、記録部位１９Ｃ1に達したら、次に低速で記録部位１９Ｃ1からデータ「イ」を読み、記録部位１９Ｃ2からデータ「ロ」を、記録部位１９Ｃ3からデータ「ハ」を、といったように読出していき、このようにして最終的にデータ「イ、ロ、ハ、ニ」が読出される。
【００４３】
一方、（ｃ）の本発明に係る磁気テープでは、そのデータを記録単位ごとに分割し、分割された各分割データを３つの磁気テープ１９Ａ〜１９Ｃの同じ部位にそれぞれ振り分けているので、分割データ「イ」は磁気テープ１９Ａ（全長１／３Ｌ）の始端から２／３の位置（すなわち、従来のテープに直すと始端から２／９Ｌ）にある記録部位１９Ａ1に、分割データ「ロ」は磁気テープ１９Ｂの記録部位１９Ｂ1に、分割データ「ハ」は磁気テープ１９Ｃの記録部位１９Ｃ1に、分割データ「ニ」は磁気テープ１９Ａの記録部位１９Ａ2にそれぞれ記憶している。
各磁気テープの記録部位１９Ａ1〜１９Ｃ1はテープ始端から等距離にあるので、磁気ヘッド１７Ａ（図７）が磁気テープ１９Ａの記録部位１９Ａ1から分割データ「イ」を読出すタイミングでは、同時に他の磁気ヘッド１７Ｂ〜１７Ｃもそれぞれの磁気テープ１９Ｂ〜１９Ｃの各記録部位１９Ｂ1〜Ｃ1から分割データ「ロ」〜「ハ」を読出している。
読出された各データはヘッド信号処理回路２２へ送られ、ここで所定の順序（ここでは記録ヘッド１７Ａの読出し順）に並べ、「イ、ロ、ハ」となる。
次のタイミングで、１記録単位だけ磁気テープを進めて、磁気ヘッド１７Ａは磁気テープ１９Ａの次の記録部位１９Ａ2から分割データ「ニ」を読出す。このとき他の磁気ヘッド１７Ｂ〜１７Ｃは次の記録部位１９Ｂ2〜１９Ｃ2からはゼロデータを読出す。読出された各データはヘッド信号処理回路２２へ送られ、ここで所定の順序に並べ、「ニ」となる。磁気ヘッドがデータゼロを読出したステップで書込みは終了する。
このようにしてデータ「イ、ロ、ハ、ニ」が読出される。
【００４４】
そこで図（ｂ）の従来のデータ読出しと図（ｃ）の本発明に係る読出しに要する時間を比較すると、図（ｂ）の従来のデータ読出しでは、磁気ヘッド１９が磁気テープ１９の記録部位１９Ｃ1までアクセスするのには、２／３Ｌの距離を走行することが必要である。これに対して、図（ｃ）の本発明に係るデータ読出しでは、各磁気ヘッドが各自の記録部位までアクセスするには、前記のように２／９Ｌで済み、アクセス時間が大幅に短縮されることになる。
【００４５】
さらに、読出し開始から終了までに要する時間は、図（ｂ）の従来のデータ読出しの場合、４記録部位１９Ｃ1〜１９Ｃ4をシリアルに読出す時間必要があるが、これに対して、図（ｃ）の本発明に係るデータ読出しの場合は、各磁気ヘッドが各自の記録部位を同時に読出すので、最大で磁気ヘッド１７Ａが２記録部位を読出す時間で済み、読出し時間が大幅に短縮されることになる。
【００４６】
以上は、読出しの例であるが、書込み時間についても同様である。
すなわち、ヘッド信号処理回路２２は、書込むべきデータ（今の場合、「イ、ロ、ハ、ニ」）を所定の記録単位で分割していき、分割した単位データを複数の磁気ヘッドに対して各磁気テープの所定箇所に順々に振り分け、書込み指令を出す。したがって、磁気ヘッド１７Ａであれば、磁気テープ１９Ａの始端から２／３Ｌの位置に単位データ「イ」を書込み、同じタイミングで、磁気ヘッド１７Ｂは磁気テープ１９Ｂの始端から全長の２／３の位置に単位データ「ロ」を書込み、以下同様となる。そして、次のタイミングで、磁気ヘッド１７Ａは磁気テープ１９Ａの次の記録箇所に単位データ「ニ」を書込み、同じタイミングで、磁気ヘッド１７Ｂ以下は各自の磁気テープにデータゼロを書込む。磁気ヘッドがデータゼロを書込んだステップで書込みは終了する。
このようにすることで、データ「イ、ロ、ハ、ニ」が、図８（ｃ）の各磁気テープに各単位データに振り分け記録が行われる。
【００４７】
そこで図（ｃ）の本発明に係るデータ書込みでは、各磁気ヘッドが各自の記録部位までアクセスするには、前記の場合は全長（１／３Ｌ）の２／３の移動（すなわち、従来テープでいえば始端から２／９Ｌの位置までの移動）で済むので、従来テープの６／９Ｌの移動と比べてアクセス時間が１／３に短縮されることになる。
【００４８】
また、書込み開始から終了までに要する時間も、書込むべきデータを手分けして各磁気ヘッドが同時に書込むので、大幅に短縮されることになる。
【００４９】
図９は磁気テープのテープフォーマットの１例を示している。
磁気テープの始端から順に、ボリューム見出しラベル３１０、ファイル索引部３２０、テープ巻き取り開始マーク３３０、データファイル（１）の３４１、データファイル（２）の３４２、・・・、ボリューム終わりラベル３５０となっている。
また、ファイル索引部３２０は、索引マーク３２１に続いて、各データファイル管理部３２２がある。各データファイル管理部３２２は、それぞれファイル名を記録するファイル名領域３２３，ファイルのボリュームを記録するボリューム領域３２４、ファイルまでの長さを記録する長さ領域３２５で構成されている。
【００５０】
そこで、読出し／書込み要求があると、ファイル索引部３２０のファイル名領域３２３を検索して対象ファイルがあるかどうか検査し、存在した場合は長さ領域３２５を検査して、対象ファイル位置までの距離の０．９５相当の距離を高速駆動し、直前で減速してサーチすることとなる。
以上のテープフォーマットは、本発明では複数本の磁気テープのうちどれか１本が備えていればよい。なぜなら、本発明によれば１本の磁気テープの移動と他の３本の磁気テープの移動は全く同じように行われるからである。もちろん、バックアップを兼ねてテープフォーマットは複数本の磁気テープに備えておいてもよい。
【００５１】
以上説明したように、本発明によれば、従来の磁気テープ長Ｌを１／２〜１／ｎに分割することによって、ファイル・サーチ等の場合に、並列サーチによりサーチ時間を大幅に短縮することが可能となると共に、読出し／書込みもパラレル動作ができるので、読出し／書込み時間も大幅に短縮することが可能となる。
なお、本発明は、以上説明した実施例に限定されずに各種の組合わせ構成、改変が可能であり、それらは全て本発明の権利内であることは当然である。
【図面の簡単な説明】
【００５２】
【図１】本発明の第１の実施の形態に係るシングルリールカートリッジの１例について説明する図で、（ａ）はその横断面図、（ｂ）はこれと対比説明するための従来のシングルリールカートリッジの横断面図である。
【図２】図１（ａ）のシングルリールカートリッジの構成の一例を示す分解斜視図である。
【図３】本発明が採用するリーダーテープの先端部分を説明する図で、（ａ）は全体の斜視図、（ｂ）は先端の拡大斜視図である。
【図４】図３記載のリーダーテープを分離して搬送することのできる搬送部材のチャック部の前半動作を説明する拡大斜視図である。
【図５】図４に続く後半動作を説明する拡大斜視図である。
【図６】シングルリールカートリッジ内のリーダーテープの先端部分の仮固定部を説明する図で、（ａ）は正面図、（ｂ）は平面図、（ｃ）は斜視図である
【図７】図２に示すリーダーテープ使用のカートリッジを装填して読出し／書込みのできる本発明の第２の実施の形態に係る磁気記録装置の概略構成を表す平面図である。
【図８】本発明に係る複数本の磁気テープと各記録ヘッドの読出し動作を説明する図である。
【図９】本発明で採用する磁気テープのテープフォーマットの１例を示している。
【図１０】公知のシングルリールカートリッジを装填し読出し／書込みのできる公知の磁気記録装置の概略構成を表す平面図である。
【符号の説明】
【００５３】
１０  シングルリールカートリッジ
１１  開口部
１９Ａ〜１９Ｃ  磁気テープ
１９Ａ1   磁気テープ係止ピン（図９）
２０  上ケース
２１  搬送距離調整用ローラ（図４）
２２  ヘッド信号処理回路（図８）
３０  下ケース
３１  方向転換用ガイドローラ
３２  固定部材
３２ａ  固定部
３２ｂ  レバー部
３３  ピン
３４  スロープ
４０  カートリッジリール
４１  上リール
４２  下リール
４２Ｂ  開口
４２１  円筒状のリールハブ（ドラム）
４２２  フランジ部
５１  コイルバネ
５２  ブレーキボタン
５２Ａ  制止用ギア
５３  リールプレート
８０Ａ〜８０Ｃ  本発明に係るリーダーテープ
８１Ａ〜８１Ｃ  チャッキングホール
９０Ａ〜９０Ｃ  ドライブ機構側のリーダーテープ搬送部材のチャック部
Ｐ１、Ｐ２、Ｐ３  チャック部に立設された係止ピン
【図１】
2005196920.tif 000003
【図２】
2005196920.tif 000004
【図３】
2005196920.tif 000005
【図４】
2005196920.tif 000006
【図５】
2005196920.tif 000007
【図６】
2005196920.tif 000008
【図７】
2005196920.tif 000009
【図８】
2005196920.tif 000010
【図９】
2005196920.tif 000011
【図１０】
2005196920.tif 000012